(57)【特許請求の範囲】
【請求項１】
壁下地と外壁材との間に通気層が形成された外壁の通気構造であって、
前記外壁材の上方に設けられ、前記通気層と外気とを連通する通気路と、
前記通気路の前記通気層側に対向配置され、下端部が前記通気層の厚み方向中程に位置する水受け部と
を備えた外壁の通気構造。
【請求項２】
前記通気路は前記外壁材の上方に配置された換気部材に設けられており、
前記換気部材は、水受け面を有する前記水受け部を具備する
請求項１記載の外壁の通気構造。
【請求項３】
前記外壁材及び前記壁下地の上側に前記通気路を覆う笠木が設けられている
請求項１または請求項２記載の外壁の通気構造。
【請求項４】
前記通気路が軒天の見切材に設けられている
請求項１または請求項２記載の外壁の通気構造。
【請求項５】
壁下地と外壁材との間に形成された通気層と外気とを連通し、該通気層を換気する換気部材であって、
前記外壁材の上方に配設された状態において、前記通気層と前記外気とを連通する通気路と、該通気路に対向するように設けられ、下端部が前記通気層の厚み方向中程に配置される水受け部と
を備えた換気部材。
【発明の詳細な説明】
【技術分野】
【０００１】
本発明は、外壁の通気構造およびこれに用いられる換気部材に関する。
【背景技術】
【０００２】
特許文献１には、従来の外壁の通気構造が開示されている。この特許文献１記載の外壁の通気構造においては、外壁材と壁下地との間に通気空間（以下、通気層）が形成され、外壁材の上端には、見切材が設けられている。この見切材は、上記通気層と外気とを連通する通気路を有しており、この通気路を介して通気層を換気することができる。
【先行技術文献】
【特許文献】
【０００３】
【特許文献１】特開２０１１−１５７６９６号公報
【発明の概要】
【発明が解決しようとする課題】
【０００４】
ところで、この従来の外壁の通気構造では、例えば荒天時に外部から見切材の通気路に風雨が吹き込む場合がある。このとき、通気路に吹き込んだ水が通気路を介して通気層に浸入して外壁材の裏面や壁下地の表面に付着することがある。これは外壁材や壁下地の耐久性等の観点から好ましくない。
【０００５】
本発明は、上記事情に鑑みてなされたものであり、その目的とするところは、外壁材と壁下地との間の通気層に通気路を介して浸入した水が外壁材や壁下地に付着するのを抑制することができる外壁の通気構造およびこれに用いられる換気部材を提供することにある。
【課題を解決するための手段】
【０００６】
本発明の外壁の通気構造は、壁下地と外壁材との間に通気層が形成された外壁の通気構造であって、前記外壁材の上方に設けられ、前記通気層と外気とを連通する通気路と、前記通気路の前記通気層側に対向配置され、下端部が前記通気層の厚み方向中程に位置する水受け部とを備えている。
【０００７】
また、この外壁の通気構造において、前記通気路は前記外壁材の上方に配置された換気部材に設けられており、前記換気部材は、水受け面を有する前記水受け部を具備することが好ましい。
【０００８】
また、この外壁の通気構造において、前記外壁材及び前記壁下地の上側に前記通気路を覆う笠木が設けられていることが好ましい。
【０００９】
また、この外壁の通気構造において、前記通気路が軒天の見切材に設けられていることが好ましい。
【００１０】
本発明の換気部材は、壁下地と外壁材との間に形成された通気層と外気とを連通し、該通気層を換気する換気部材であって、前記外壁材の上方に配設された状態において、前記通気層と前記外気とを連通する通気路と、該通気路に対向するように設けられ、下端部が前記通気層の厚み方向中程に配置される水受け部とを備えている。
【発明の効果】
【００１１】
本発明の外壁の通気構造によれば、外部から通気路を介して通気層に水が浸入しても、水受け部により水を受けることができ、さらに、水受け部で受けた水を通気層の中程から落下させることができる。この結果、外壁材や壁下地に水が付着するのを抑制することができる。
【００１２】
本発明の換気部材によれば、この換気部材を用いて外壁の通気構造を構成すれば、通気路を介して通気層に水が浸入しても、水受け部により水を受けることができ、さらに、水受け部で受けた水を通気層内に落下させることができる。この結果、外壁材や壁下地に水が付着するのを抑制することができる。
【図面の簡単な説明】
【００１３】
【図１】本発明の実施形態１に係る外壁の通気構造の縦断面図である。
【図２】同上の外壁の通気構造の屋外側の要部断面図である。
【図３】同上の外壁の通気構造に用いられる換気部材の斜視図である。
【図４】本発明の実施形態２に係る外壁の通気構造の縦断面図である。
【図５】本発明の実施形態２の変形例１に係る外壁の通気構造の縦断面図である。
【図６】本発明の実施形態２の変形例２に係る外壁の通気構造の縦断面図である。
【図７】本発明の実施形態２の変形例３に係る外壁の通気構造の縦断面図である。
【発明を実施するための形態】
【００１４】
以下、本発明の実施形態について添付図面に基づいて説明する。
【００１５】
（実施形態１）
本実施形態の外壁は、パラペットであり、バルコニーやベランダ等に設けられている。本実施形態の外壁は、図１に示すように、壁下地１０と、壁下地１０の厚み方向一方側に配置された外壁材２と、壁下地１０の厚み方向他方側に配置された外壁材３と、これら外壁材２，３と壁下地１０との間に形成された一対の通気層１４とを備えている。本実施形態の外壁の通気構造は、各通気層１４と外気との間で行われる通気のための構造であり、厚み方向一方側の構造と他方側の構造とは対称に形成されている。このため、以下においては、厚み方向一方側の外壁の通気構造を主に説明し、他方側の外壁の通気構造について重複する説明は省略する。
【００１６】
上記パラペットは、壁下地１０と、その表面に固定された複数本の縦胴縁１１と、これら縦胴縁１１に固定された外壁材２と、この外壁材２の上方に配置された換気部材４と、これら壁下地１０、外壁材２及び換気部材４を上方から覆う笠木７とを備えている。なお、以下において、外壁材２から壁下地１０に向かう方向を「内方」として定義し、壁下地１０から外壁材２に向かう方向を「外方」として定義する。また、内方および外方に平行な方向を「内外方向」として定義する。
【００１７】
壁下地１０は、外壁材２の下地となる構造体である。壁下地１０は、例えば、柱と、柱の内外方向の両面にそれぞれ固定された一対の合板１２とを備えており、外壁の躯体となる。壁下地１０の外方側の両面には、下葺き材としての透湿防水シート１３が全面にわたって貼り付けられており、この透湿防水シート１３の表面に複数の縦胴縁１１が固定されている。複数の縦胴縁１１は、水平方向に一定の間隔をおいて配置されている。
【００１８】
複数の縦胴縁１１には、外壁材２が取り付けられている。外壁材２は、パネル状の外壁材であり、例えば、窯業系サイディング材や、金属サイディング材などにより構成される。本実施形態の外壁材２は、横張り用の外壁材であるが、縦張り用の外壁材により構成されてもよい。外壁材を縦張りする場合には、例えば横胴縁により上記通気層１４が形成される。また、通気層１４は、外壁材２を壁下地１０に取り付ける取付金具によって形成されてもよい。
【００１９】
外壁材２と壁下地１０との間には、図２に示すように、通気層１４が形成されている。通気層１４は、縦胴縁１１により形成された隙間（壁下地１０と外壁材２との間の隙間）により構成される。通気層１４には、外壁材２の下方から空気が流入し、流入した空気が通気層１４を上昇し、その後、換気部材４を介して外気に流出する。この通気層１４内における空気の移動により、通気層１４が換気され、外壁材２の裏面や壁下地１０の表面（透湿防水シート１３の表面）に生じる結露を抑制し、また、断熱効果を得ることができる。
【００２０】
なお、外壁材２の下方から空気が流入する構造については、スタータ金具を用いた周知の構造であるため、説明を省略する。
【００２１】
換気部材４は、通気層１４と外気とを連通し、通気層１４を換気する。換気部材４は、通気路５８を有する本体部４１と、連結部５０を介して本体部４１に連結された水受け部５３と、これらを壁下地１０に取り付けるための取付部５５とを備えている。本実施形態の換気部材４は、一枚の鋼板を曲げ加工することにより形成されており、本体部４１と水受け部５３とは一体に形成されている。
【００２２】
本体部４１は、換気部材４の主体を構成する部分である。本体部４１には、図３に示すように、内方側の側面（内側板４３という）に第一開口４５が設けられ、外方側の側面（外側板４４という）に第二開口４６が設けられている。また、本体部４１には、第一開口４５と第二開口４６とを連通する連通空間４７が設けられている。連通空間４７には、第一開口４５と第二開口４６とを遮蔽するように邪魔板４８が配置されている。通気路５８は、この連通空間４７内における邪魔板４８により蛇行するように形成された通路である。
【００２３】
このように、連通空間４７内に邪魔板４８が設けられていることにより、設置状態において第二開口４６に水が進入しても、この第二開口４６から第一開口４５にダイレクトに向かう雨水を遮ることができ、第一開口４５に至る水を大幅に抑制できる。
【００２４】
また、本体部４１は、底板４２を有している。底板４２は、外側板４４の下端と内側板４３の下端とを接続し、図２に示すように、内側板４３と底板４２と外側板４４とで断面略Ｕ字状に形成される。底板４２は、外方に下り傾斜している（外方側に位置するほど下方に位置するように傾斜している）。また、外側板４４の下端部には、複数の水抜き孔４９が形成されている。これにより、底板４２の上面に付着した水滴は、底板４２の傾斜に沿って流下し、水抜き孔４９を介して排出される。
【００２５】
水受け部５３は、連結部５０を介して、本体部４１に連結されている。水受け部５３は、第一開口４５に対向配置されている。水受け部５３の内方側の面および外方側の面のうち、外方側の面が水受け面５４として機能する。水受け面５４は、第一開口４５に対向しており、内外方向から見て、第一開口４５に重なる。また、水受け面５４は、換気部材４が外壁に設置された状態では、外壁材２と壁下地１０との間に形成された通気層１４上部の中程に位置する。これにより、水受け面５４は、第一開口４５から通気層１４側に浸入する雨水を受けることができる。
【００２６】
水受け部５３は、鉛直方向に延びている。水受け部５３の下側の先端は、通気層１４の厚み方向中程に位置している。
【００２７】
連結部５０は、図３に示すように、水受け部５３と本体部４１とを連結する。連結部５０は、本体部４１の内側板４３の上端から下側内方に向かって延出した複数の支持部５１と、複数の支持部５１間にわたって形成された補強部５２とを有する。補強部５２は、連結部５０と水受け部５３との接続部分の長さを長くし、これによって、水受け部５３と連結部５０との接続部分を補強する。
【００２８】
本体部４１には取付部５５が設けられている。取付部５５は、図１に示すように、本体部４１を外壁材２の上方に位置させ、水受け部５３を通気層１４内に位置させた状態で、本体部４１および水受け部５３を壁下地１０に固定する。取付部５５は、水受け部５３の上端から内方に向かって延出している。取付部５５は、ビス等の固着具８を介して壁下地１０の上端部に固定される。
【００２９】
また、本体部４１の外側板４４の上端部は、図２に示すように、外方に突出している（この突出した部分を突出部５６という）。突出部５６の外方側の面には水切り５７が設けられており、この水切り５７は、突出部５６の下端面よりも下方に突出している。また、水切り５７は、第二開口４６の鉛直部分に対向しており、内外方向から見て第二開口４６に重なるように形成されている。
【００３０】
このような構成の換気部材４は、外壁材２の上方に配置された状態において、取付部５５が壁下地１０に固定され、底板４２と外壁材２の上端面とバックアップ材であるジョイナー６とで囲まれた空間に、シーリング材８１が充填される。
【００３１】
本実施形態の外壁は、図１に示すように、壁下地１０および換気部材４を上方から覆う笠木７が取り付けられる。笠木７は、天面部７１と、一対の覆い部７２とを備えている。天面部７１は、内外方向に幅を有しており、また、内外方向に直角で且つ水平面に沿った方向に長さを有している。各覆い部７２は、天面部７１の幅方向の端部から下方に向かって突出している。
【００３２】
笠木７は、壁下地１０に固定されたベース７３を介して取り付けられる。ベース７３は、壁下地１０に換気部材４の取付部５５が載置された状態で、この取付部５５に載置され、固着具８を介して壁下地１０に固定される。
【００３３】
このような構成の外壁の通気構造は、図２に示すように、通常時において、通気層１４内を上昇した空気は、第一開口４５を通過して、通気路５８に流入し、この通気路５８に沿って蛇行して第二開口４６を通過し、外部に流出する。これにより、通気層１４が換気される。
【００３４】
一方、例えば、風雨の強い場合、雨水の大部分は笠木７により遮られるが、一部が第二開口４６に入り込む。この時、入り込んだ雨水の一部は邪魔板４８により遮られるものの、邪魔板４８に遮られなかったごく僅かな雨水が、通気路５８を通過して第一開口４５に至る。
【００３５】
第一開口４５に至った雨水は、水受け面５４に受け止められ、この水受け面５４を伝って流下する。水受け面５４を流れ落ちた雨水は、通気層１４内を落下し、外壁材２の下方から外部に排出される。このとき、水受け面５４は、内外方向において外壁材２と壁下地１０との中間に位置しているため、水受け面５４から落下した水は、外壁材２および壁下地１０の双方にほとんど付着しない。
【００３６】
ここで、本実施形態の水受け面５４の下端は、補強部５２との間で断面略Ｖ字状に形成されている。このため、水受け面５４を流下する雨水は、補強部５２と水受け部５３とのＶ字状の接続部分に、一旦溜まったうえで、補強部５２の外面を伝って落下する。なお、補強部５２の外面を伝って落下せずに補強部５２と水受け面５４との接続部分に溜まる雨水が存在するが、その量はごく僅かであるため、通気層１４内の通気によって蒸発する。
【００３７】
（効果）
以上説明したように、本実施形態の外壁の通気構造は、壁下地１０と外壁材２との間に通気層１４が形成された外壁の通気構造である。この通気構造は、通気路５８と、水受け面５４とを備える。通気路５８は、外壁材２の上方に設けられ、通気層１４と外気とを連通する。水受け面５４は、通気路５８の通気層１４側の開口に対向配置され、下端部が通気層１４の厚み方向中程に位置する。ここでいう「厚み方向中程」とは、通気層１４の厚み方向の中央に限られず、水受け面５４が外壁材２の裏面側または壁下地１０の表面側に寄って配置されたものも含む。
【００３８】
この構成によれば、通気路５８内に水が浸入しても、その水を水受け面５４で受けることができ、しかも、水受け面５４は通気層１４の中程に位置しているため、水受け面５４で受け止められた水が落下しても外壁材２及び壁下地１０にほとんど付着しない。
【００３９】
また、本実施形態の外壁の通気構造は、次の付加的な構成を有する。すなわち、本実施形態の通気路５８は外壁材２の上方に配置された換気部材４に設けられ、さらにこの換気部材４に水受け面５４を有する水受け部５３が設けられている。この構成によれば、通気路５８と水受け部５３とを備えた換気部材４を外壁に設置するだけで、水受け面５４を所定の位置に配置できるため、施工性を向上できる。
【００４０】
また、本実施形態の外壁の通気構造は、次の付加的な構成を有する。すなわち、本実施形態の外壁の通気構造は、壁下地１０の上端に取り付けられる笠木７をさらに備える。この構成によれば、通気路５８内に浸入しようとする水を笠木７により遮ることができるため、通気路５８内に浸入する水量を減らすことができる。この結果、通気層１４内に水が浸入するのを抑制することができて、外壁材２や下壁地１０に水が付着するのをさらに抑制することができる。
【００４１】
また、本実施形態の換気部材４は、壁下地１０と外壁材２との間に形成された通気層１４と、外気とを連通する。換気部材４は、本体部４１と、本体部４１に設けられた水受け部５３とを備える。本体部４１は、通気層１４側に配置される第一開口４５と外気側に配置される第二開口４６とを繋ぐ通気路５８が内部に形成される。水受け部５３は、第一開口４５に対向配置された水受け面５４を有する。この構成によれば、換気部材４を外壁材２の上方に取り付けた状態において、水が通気路５８を通過しても、水受け面５４がこの水を受けることができ、また、水受け面５４で受けた水が落下しても外壁材２や壁下地１０に付着するのを抑制できる。しかも、この換気部材４を外壁に設置するだけで、水受け面５４を所定の位置に配置できるため、施工性が向上する。
【００４２】
（実施形態２）
次に、他の実施形態について図４に基づいて説明する。なお、本実施形態は実施形態１と共通する構成が多いため、実施形態１に対応する構成については、同符号の末尾に「ａ」を付した上で、主に異なる部分について説明し、共通する内容については説明を省略する。
【００４３】
本実施形態の外壁は、軒天９の下方の外壁である。外壁は、壁下地１０ａと、縦胴縁１１ａと、外壁材２ａと、換気部材４としての見切材４ａとを備えている。
【００４４】
壁下地１０ａは、柱（間柱や通し柱を含む）と、合板１２ａとを備えている。合板１２ａの外方側（屋外側）の側面には透湿防水シート１３ａが貼り付けられている。縦胴縁１１ａは、透湿防水シート１３ａを介して壁下地１０ａに固定されている。外壁材２ａは、縦胴縁１１ａに固定されている。
【００４５】
見切材４ａは、外壁材２ａの上方に配置されており、外壁材２ａと軒天９との間に位置している。見切材４ａは、本体部４１ａと、水受け部５３ａとを備えている。本体部４１ａは、第一開口４５ａと第二開口４６ａとを繋ぐ連通空間４７ａと、連通空間４７ａ内に設けられた複数の邪魔板４８ａとを有している。これら複数の邪魔板４８ａが通気方向に沿って千鳥状に配置され、これにより通気路５８ａが形成されている。
【００４６】
水受け部５３ａは、連結部５０ａを介して、本体部４１に設けられている。連結部５０ａは、本体部４１ａの上端から内方（屋内側）に向かって延出している。水受け部５３ａは、連結部５０ａの内方側の端部から下方に向かって突出している。水受け部５３ａと連結部５０ａとは、断面略Ｌ字状に一体に形成されている。水受け部５３ａは、第一開口４５ａに対向するように配置されており、第一開口４５ａに対向する側の面を水受け面５４ａとする。水受け面５４ａは通気層１４ａ内に配置されており、水受け面５４ａの下端は、通気層１４ａの厚み方向中程に位置している。
【００４７】
通気層１４ａ内を上昇した空気は、第一開口４５ａ、通気路５８ａ及び第二開口４６ａの順に通過して、外部に流出する。一方、例えば、風雨の強い場合、雨水の大部分は複数の邪魔板４８ａにより遮られるが、邪魔板４８ａにより遮られなかった雨水が第一開口４５ａに至る可能性がある。
【００４８】
第一開口４５ａに至った雨水は、水受け面５４ａに受け止められ、この水受け面５４ａを伝って流下する。水受け面５４ａを流れ落ちた雨水は、通気層１４ａを落下し、外壁材２ａの下方から外部に排出される。このとき、水受け面５４ａは、内外方向において外壁材２ａと壁下地１０ａとの中間に位置しているため、水受け面５４ａから落下した水は、外壁材２ａおよび壁下地１０ａの双方にほとんど付着しない。
【００４９】
（効果）
以上、説明したように、本実施形態の外壁の通気構造は、通気路５８ａが軒天９の見切材４ａに設けられている。この構成によれば、軒天９の見切部においても、通気層１４ａ内に水が浸入して、この水が外壁材２ａや壁下地１０ａに付着するのを抑制することができる。
【００５０】
（変形例１）
次に、実施形態２の変形例１について図５に基づいて説明する。なお、本変形例は実施形態２と共通する構成が多いため、実施形態２に対応する構成については、同符号の末尾に「ｂ」を付した上で、主に異なる部分について説明し、共通する内容については説明を省略する。
【００５１】
変形例１の見切材４ｂは、本体部４１ｂの構造が実施形態２の見切材４ａとは異なっている。本体部４１ｂは、底板４２ｂと、底板４２ｂの外方側の端部から上方に延びた外側板４４ｂと、底板４２ｂの内方側の端部から上方に延びた内側板４３ｂとを備える。内側板４３ｂには第一開口４５ｂが形成され、外側板４４ｂには第二開口４６ｂが形成される。底板４２ｂは、外壁材２ｂの上端が嵌まり込むような断面逆Ｕ字形状に形成されている。
【００５２】
本体部４１ｂには、第一開口４５ｂと第二開口４６ｂとを連通する連通空間４７ｂが形成されている。連通空間４７ｂには、邪魔板４８ｂが設けられている。また、底板４２ｂには、水抜き孔４９ｂが形成されている。
【００５３】
第一開口４５ｂは、本体部４１ｂの上端部に設けられている。また、水受け面５４ｂの下端は、第一開口４５の下端よりも下方に位置している。
【００５４】
このような構成の見切材４ｂであっても、実施形態２の見切材４ａと同様の効果を奏することができる。
【００５５】
（変形例２）
次に、実施形態２の変形例２について図６に基づいて説明する。なお、本変形例は実施形態２と共通する構成が多いため、実施形態２に対応する構成については、同符号の末尾に「ｃ」を付した上で、主に異なる部分について説明し、共通する内容については説明を省略する。
【００５６】
変形例２の見切材４ｃは、本体部４１ｃの構造が実施形態２の見切材４ａとは異なっている。本体部４１ｃは、底板４２ｃと、底板４２ｃの外方側の端部から上方に延びた外側板４４ｃと、底板４２ｃの内方側の端部から上方に延びた内側板４３ｃとを備える。内側板４３ｃには第一開口４５ｃが形成され、外側板４４ｃには第二開口４６ｃが形成される。底板４２ｃは、外壁材２ｃの上端が嵌まり込むような形状に形成されている。
【００５７】
本体部４１ｃには、第一開口４５ｃと第二開口４６ｃとを連通する連通空間４７ｃが形成されている。連通空間４７ｃには、邪魔板４８ｃが設けられている。なお、本変形例の見切材４ｃは、第二開口４６ｃが水抜き孔を兼用している。
【００５８】
このような構成の見切材４ｃであっても、実施形態２の見切材４ａと同様の効果を奏することができる。
【００５９】
（変形例３）
次に、実施形態２の変形例３について図７に基づいて説明する。なお、本変形例は実施形態２と共通する構成が多いため、実施形態２に対応する構成については、同符号の末尾に「ｄ」を付した上で、主に異なる部分について説明し、共通する内容については説明を省略する。
【００６０】
変形例３の見切材４ｄは、本体部４１ｄの構造が実施形態２の見切材４ａとは異なり、また、連結部５０ｄおよび水受け部５３ｄが本体部４１ｄとは別部材で構成されている点で実施形態２の見切材４ａとは異なる。
【００６１】
本体部４１ｄは、底板４２ｄと、外側板４４ｄと内側板４３ｄとを備える。外側板４４ｄの上端部と内側板４３ｄの上端部とは、天板５９ｄを介して連結されており、断面逆Ｕ字状に形成されている。底板４２ｄは、外壁材２ｄの上端が嵌まり込むような形状に形成されている。
【００６２】
内側板４３ｄには第一開口４５ｄが形成される。また、底板４２ｄと外側板４４ｄとの間には、第二開口４６ｄが形成される。第一開口４５ｄは、底板４２ｄの上面と同じ高さ位置に配置される。底板４２ｄと天板５９ｄとは、スペーサ６０ｄを介して連結されており、これにより、本体部４１ｄが組み立てられる。
【００６３】
連結部５０ｄは、本体部４１ｄにリベット等の固着具を介して固定される。水受け部５３ｄは、連結部５０の内方側の端部から下方に向かって延出している。水受け部５３ｄの下端は、第一開口４５ｄの下端よりも下方に位置している。
【００６４】
このような構成の見切材４ｄであっても、実施形態２の見切材４ａと同様の効果を奏することができる。
【００６５】
（応用）
実施形態１，２および各変形例の換気部材４，４ａ〜４ｄには邪魔板４８，４８ａ〜４８ｄが設けられていたが、本発明の換気部材としては、邪魔板は必ずしも必要ではなく、例えば、通気路５８が連通空間４７だけで構成されてもよい。
【００６６】
実施形態１，２および各変形例の外壁の通気構造には、換気部材４，４ａ〜４ｄが設けられたが、本発明の外壁の通気構造においては、通気路が設けられていればよく、換気部材は必ずしも必要な構成ではない。
【００６７】
実施形態１，２および各変形例の換気部材４，４ａ〜４ｄは、水受け部５３，５３ａ〜５３ｄが本体部４１，４１ａ〜４１ｄと一体に構成されているが、本発明の外壁の通気構造においては、水受け部と本体部とは一体でなくてもよい。
【００６８】
その他、本発明に係る技術的思想を逸脱しない範囲であれば、設置現場の環境や仕様等に応じて、種々の変更が可能である。
【符号の説明】
【００６９】
１０        壁下地
１４        通気層
２，３，２ａ〜２ｄ    外壁材
４          換気部材
４ａ〜４ｄ  見切材
５３，５３ａ〜５３ｄ    水受け部
５４，５４ａ〜５４ｄ    水受け面
５８，５８ａ〜５８ｄ    通気路
７          笠木
９          軒天
【図１】
0006606440.tif 000002
【図２】
0006606440.tif 000003
【図３】
0006606440.tif 000004
【図４】
0006606440.tif 000005
【図５】
0006606440.tif 000006
【図６】
0006606440.tif 000007
【図７】
0006606440.tif 000008